【手続補正書】
【提出日】平成27年7月1日(2015.7.1)
【手続補正１】
【補正対象書類名】特許請求の範囲
【補正対象項目名】全文
【補正方法】変更
【補正の内容】
【特許請求の範囲】
【請求項１】
拡張された体験を通信プログラムユーザに提供するためのシステムであって、
第３のユーザに対して、該第３のユーザに表示される選択されたユーザリスト内で、第１のユーザの識別子とともに第１のステータスインジケータを及び第２のユーザの識別子とともに第２のステータスインジケータを提供するメッセージングサーバであって、該第１のステータスインジケータは、該第１のユーザに関連付けられており、かつ該第１のステータスインジケータが提供された時点で該第１のユーザによって体験されているメディアコンテンツを含む再生リストを特定するものであり、該第２のステータスインジケータは、該第２のステータスインジケータが表示された時点で前記第２のユーザによって閲覧されているウェブページのＵＲＩを特定するものであり、前記第２のステータスインジケータは前記第２のユーザによって閲覧されているウェブページの変化に基づいて動的に変更されるものであるメッセージングサーバ、を含むシステム。
【請求項２】
前記メッセージングサーバと通信し、かつ前記第３のユーザが前記第１のステータスインジケータと対話した後に該第３のユーザに前記再生リストと関連する他のメディアコンテンツを選択して送信するメディアサーバ、を更に含む請求項１に記載のシステム。
【請求項３】
前記第１のユーザ、前記第２のユーザ又は前記第３のユーザの少なくともいずれかが、各ユーザのそれぞれの通信プログラムによって利用可能にされた可視的な商取引アイコンと対話することにより、前記メディアコンテンツを取得することができる商取引プログラムへのアクセスを得ることができる付加的なサーバ、
を更に含む請求項１に記載のシステム。
【請求項４】
前記メッセージングサーバは、前記第１のステータスインジケータに関連付けられたデータを受信することを特徴とする請求項１に記載のシステム。
【請求項５】
プロセッサによって、プログラムのユーザが関連付けられることを望む選択されたユーザのリストを表示するユーザインタフェースを含むダウンロード可能なプログラムへのアクセスを提供する段階と、
前記プロセッサによって、第１のユーザに関連する１人又はそれよりも多くの他のユーザに、前記第１のユーザが関連付けられることを望む１人又はそれよりも多くのユーザに表示された選択されたユーザリストにおいて、前記第１のユーザによって体験されているウェブページのＵＲＩを特定する第１のステータスインジケータ及び前記第１のユーザの識別子を送信する段階と、
前記プロセッサによって、第２のユーザに関連する１人又はそれよりも多くの他のユーザに、前記第２のユーザが関連付けられることを望む１人又はそれよりも多くのユーザに表示された選択されたユーザリストにおいて、前記第２のユーザによって体験されているメディアコンテンツを含む再生リストを特定する第２のステータスインジケータ及び前記第２のユーザの識別子を送信する段階と、
前記プロセッサによって、前記第１のユーザによって体験されているウェブページの変化に基づいて、１人又はそれよりも多くの他のユーザに表示される前記第１のステータスインジケータを動的に変更し、ウェブページの前記変化を見えるように示す段階と、
前記プロセッサによって、メディアコンテンツを取得することができる商取引プログラムにアクセスすることができる商取引アイコンを送信する段階と、
を含むことを特徴とする方法。
【請求項６】
ユーザによって体験されているメディアに関連付けられたステータスインジケータを同報通信する方法であって、
プロセッサによって、第１のユーザに関連付けられた第１のステータスインジケータを定義し、該第１のステータスインジケータが、該第１のユーザによって体験されているデジタルコンテンツを含む再生リストを特定するものである段階と、
前記プロセッサによって、第１のクライアントにおける通信プログラムの前記第１のユーザに対応する第１のユーザインタフェースにおいて１人又はそれよりも多くの他のユーザに対して、前記第１のステータスインジケータを共有する段階と、
を含むことを特徴とする方法。
【請求項７】
第２のクライアントにおける前記通信プログラムの第２のユーザに対応する第２のユーザインタフェースにおいて、前記第１のステータスインジケータを表示する段階と、
前記第１のステータスインジケータが前記第２のユーザインタフェースにおいてトリガーされたことの指示を受信すると、前記第２のクライアントを通じて前記デジタルコンテンツを表示する段階と、
をさらに含む、請求項６に記載の方法。
【請求項８】
前記デジタルコンテンツはサーバによってストリーミングされる、請求項６又は７に記載の方法。
【請求項９】
前記通信プログラムの前記１人又はそれよりも多くの他のユーザに対して、前記デジタルコンテンツに関連付けられたデータを利用可能にする段階を更に含むことを特徴とする請求項６に記載の方法。
【請求項１０】
前記１人又はそれよりも多くの他のユーザが前記データへのアクセスを与えられるべきか否かを判断する段階、
を更に含むことを特徴とする請求項９に記載の方法。
【請求項１１】
選択されたユーザのリスト、及びメディアプレーヤ、
を含み、
前記選択されたユーザのリストは、
前記選択されたユーザリスト内の選択されたユーザに関連付けられ、かつ関連付けられた時点で前記選択されたユーザが体験しているメディアを表す、プロセッサによってディスプレイ上に表示される第１のステータスインジケータと、
前記選択されたユーザリスト内の選択された他のユーザに関連付けられ、かつ関連付けられた時点で前記選択された他のユーザが体験しているウェブページのＵＲＩを特定する、前記プロセッサによってディスプレイ上に表示される第２のステータスインジケータと、
を更に含む、
ことを特徴とする、前記プロセッサによって前記ディスプレイ上に表示されるインスタントメッセージングユーザインタフェース。
【請求項１２】
コンピュータ可読媒体上に格納されたインスタントメッセージングコンピュータプログラムであって、
インスタントメッセージングコンピュータプログラムを実行することができるコンピュータハードウエア上で作動し、
第１のユーザによって作動された時に、
選択されたユーザリスト部分を含むユーザインタフェースをインスタンス化する段階と、
第２のコンピュータハードウエアを用いる前記メッセージングプログラムの第２のユーザを識別する前記選択されたユーザリスト部分内の第１のユーザ識別子を表示する段階と、
第３のコンピュータハードウエアを用いる前記メッセージングプログラムの第３のユーザを識別する前記選択されたユーザリスト部分内の第２のユーザ識別子を表示する段階と、
第１のステータスインジケータを前記第１のユーザ識別子に隣接して表示し、該第１のステータスインジケータが、該第１のステータスインジケータが表示された時点で前記第２のコンピュータ上で前記第２のユーザによって閲覧されているウェブページのＵＲＩを特定する段階であって、前記第１のステータスインジケータを選択することにより前記ウェブページの体験が可能となり、前記第１のステータスインジケータは前記第２のユーザによって閲覧されているウェブページの変化に基づいて動的に変更されるものである段階と、
第２のステータスインジケータを前記第２のユーザ識別子に隣接して表示し、該第２のステータスインジケータが、該第２のステータスインジケータが表示された時点で前記第３のコンピュータ上で前記第３のユーザによって体験されているデジタルコンテンツを含む再生リストを特定するものである段階と、
を実行する、
ことを特徴とするコンピュータプログラム。
【請求項１３】
前記第２のユーザが異なるウェブページにナビゲートしたことを反映させるために、前記第１のステータスインジケータを変更する段階を更に実行することを特徴とする請求項１２に記載のプログラム。
【請求項１４】
プロセッサによって第１のユーザに関連付けられた第１のステータスインジケータを利用可能にし、該第１のステータスインジケータが、該利用可能にする時点で該第１のユーザによって体験されているメディアコンテンツを示す段階と、
前記プロセッサによって第２のユーザに関連付けられた第２のステータスインジケータを利用可能にし、該第２のステータスインジケータが、該利用可能にする時点で該第２のユーザによって閲覧されているウェブページのＵＲＩを特定するものであり、前記第２のステータスインジケータは前記第２のユーザによって閲覧されているウェブページの変化に基づいて動的に変更されるものである段階と、
第３のユーザに対して、該第３のユーザに表示される選択されたユーザリスト内で、前記第１のユーザの識別子に関連付けられた前記第１のステータスインジケータを、前記プロセッサによって実行されている通信プログラムを通じて提供し、該第１のユーザによって体験された前記メディアコンテンツを前記第１のステータスインジケータを選択することによって該第３のユーザが選択して体験することを可能にする段階と、
前記プロセッサによって、前記第１のユーザによって体験されているメディアコンテンツの変化に基づいて、前記第３のユーザに表示された前記第１のステータスインジケータを動的に変更する段階と、
前記第３のユーザに対して、該第３のユーザに表示される前記選択されたユーザリスト内で、前記第２のユーザの識別子に関連付けられた前記第２のステータスインジケータを、前記プロセッサによって実行されている前記通信プログラムを通じて提供し、該第２のユーザによって閲覧されている前記ウェブページを前記第２のステータスインジケータを選択することによって該第３のユーザが選択して閲覧することを可能にする段階と、
前記プロセッサによって、前記第１のユーザ、前記第２のユーザ又は前記第３のユーザの少なくともいずれかが、前記メディアコンテンツを取得することができる商取引プログラムにアクセスすることができる商取引アイコンを利用可能にする段階と、
を含むことを特徴とする方法。